【手続補正書】
【提出日】平成16年12月10日(2004.12.10)
【手続補正１】
【補正対象書類名】特許請求の範囲
【補正対象項目名】全文
【補正方法】変更
【補正の内容】
【特許請求の範囲】
【請求項１】
複数のマイクロフォンと、
前記複数のマイクロフォンの集音信号のうち１つを選択するマイクロフォン信号選択手段と、
前記マイクロフォン信号選択手段で選択した信号を集音したマイクロフォンに対応する撮像条件に基づいて撮像手段の撮像条件を制御する撮像方向調整手段と
を具備する通話装置。
【請求項２】
前記撮像条件は前記撮像手段の撮像方向を示す情報を含み、
前記撮像方向調整手段は、前記撮像方向を示す情報に基づいて前記撮像手段の撮像方向を制御する、
請求項１に記載の通話装置。
【請求項３】
前記撮像条件は前記撮像手段をズームさせる情報を含み、
前記撮像方向調整手段は、前記ズームさせる情報に基づいて前記撮像手段の撮像方向を制御する、
請求項２に記載の通話装置。
【請求項４】
前記撮像条件は前記撮像手段で撮像される部分に位置する発言者を示す情報を含み、
前記撮像方向調整手段は、前記発言者を示す情報を前記撮像手段で撮像した画像に付加する、
請求項２に記載の通話装置。
【請求項５】
前記選択されたマイクロフォン集音信号について、事前に登録された声紋と一致するか否かの声紋認証を行う声紋認証手段をさらに具備する、
請求項１に記載の通話装置。
【請求項６】
前記撮像方向調整手段は、前記マイクロフォン集音信号が前記声紋認証手段で声紋認証されたとき、前記マイクロフォン信号選択手段で選択したマイクロフォンに対応する撮像条件情報に基づき、前記撮像手段の撮像条件を制御する、
請求項５に記載の通話装置。
【請求項７】
前記撮像条件調整手段は、前記マイクロフォン集音信号が前記声紋認証手段で認証されないとき、前記撮像手段をデフォルト状態にする、
請求項６に記載の通話装置。
【請求項８】
前記撮像方向調整手段は、前記デフォルト状態として、前記撮像条件を変化させない、
請求項７に記載の通話装置。
【請求項９】
前記撮像方向調整手段は、前記デフォルト状態として、前記撮像条件を初期状態にする、
請求項７に記載の通話装置。
【請求項１０】
前記撮像方向調整手段は、前記撮像条件の初期撮像条件として、事前に登録された議長を撮像する撮像条件にする、
請求項９に記載の通話装置。
【請求項１１】
前記マイクロフォン集音信号を増幅する利得調整可変型増幅手段と、
前記利得可変型型増幅手段の利得を調整する増幅器利得調整手段と
をさらに具備し、
前記増幅器利得調整手段は、前記声紋認証手段が声紋認証したとき、前記マイクロフォン選択信号で示されるマイクロフォンに対応する前記利得可変型増幅手段の利得を大きな第１の利得に設定する、
請求項５に記載の通話装置。
【請求項１２】
前記増幅器利得調整手段は、前記声紋認証手段が声紋認証しないとき、前記マイクロフォン選択信号で示されるマイクロフォンに対応する前記利得可変型増幅手段の利得を低い第２の利得に設定する、
請求項１１に記載の通話装置。
【請求項１３】
前記増幅器利得調整手段は、前記マイクロフォン信号選択手段で選択したマイクロフォンの選択の終了を検出したとき、前記選択されていたマイクロフォンに対応する前途利得可変型増幅手段の利得を他の利得可変型増幅手段の利得と同じ平均的な第３の利得に設定する、
請求項１１に記載の通話装置。
【請求項１４】
前記増幅器利得調整手段は、前記マイクロフォン信号選択手段で選択したマイクロフォンの選択の終了を検出したとき、前記選択されていたマイクロフォンに対応する前途利得可変型増幅手段の利得を他の利得変型増幅手段の利得と同じ平均的な第３の利得に設定する、
請求項１２に記載の通話装置。
【請求項１５】
前記複数のマイクロフォンは等角度で放射状に配置されており、
前記複数のマイクロフォンの近傍に、前記複数のマイクロフォンに対して等距離に配置された音声出力手段をさらに具備する、
請求項１に記載の通話装置。
【請求項１６】
前記マイクロフォン信号選択手段は、前記マイクロフォンの検出信号から音源方向を検出する、
請求項１に記載の通話装置。
【請求項１７】
前記選択されたマイクロフォン集音信号について事前に登録された声紋と一致するか否かの声紋認証を行う声紋認証手段をさらに具備する、
請求項２に記載の通話装置。
【請求項１８】
前記複数のマイクロフォンは等角度で放射状に配置されており、
前記複数のマイクロフォンの近傍に、前記複数のマイクロフォンに対して等距離に配置された音声出力手段をさらに具備する、
請求項２に記載の通話装置。
【請求項１９】
前記マイクロフォン信号選択手段は、前記マイクロフォンの検出信号から音源方向を検出する、
請求項２に記載の通話装置。
【請求項２０】
前記複数のマイクロフォンは等角度で放射状に配置されており、
前記複数のマイクロフォンの近傍に、前記複数のマイクロフォンに対して等距離に配置された音声出力手段をさらに具備する、
請求項１７に記載の通話装置。
【請求項２１】
前記マイクロフォン信号選択手段は、前記マイクロフォンの検出信号から音源方向を検出する、
請求項１７に記載の通話装置。
【請求項２２】
複数のマイクロフォンと、
撮像条件が調整可能な撮像手段と、
前記複数のマイクロフォンの集音信号のうち１つを選択するマイクロフォン信号選択手段と、
前記マイクロフォン信号選択手段で選択された信号を集音したマイクロフォンに対応する撮像条件情報に基づいて前記撮像手段の撮像条件を制御する撮像方向調整手段と
を具備する会議装置。
【請求項２３】
複数のマイクロフォンの集音信号のうち１つを選択するマイクロフォン信号選択工程と、
前記選択されたマイクロフォンに対応する撮像条件情報に基づいて前記撮像手段の撮像条件を制御する撮像方向調整工程と
を具備する撮像条件調整方法。
【請求項２４】
前記選択されたマイクロフォン集音信号について事前に登録された声紋と一致するか否かの声紋認証を行う声紋認証工程をさらに具備し、
前記撮像方向調整工程において、声紋認証工程で前記選択されたマイクロフォン集音信号が声紋認証されたとき、前記マイクロフォン信号選択工程で選択したマイクロフォンに対応する撮像条件情報に基づいて前記撮像手段の撮像条件を制御する、
請求項２３に記載の撮像条件調整方法。
【手続補正２】
【補正対象書類名】明細書
【補正対象項目名】０００８
【補正方法】変更
【補正の内容】
【０００８】
本発明の第一の観点によれば、複数のマイクロフォンと、前記複数のマイクロフォンの集音信号のうち１つを選択するマイクロフォン信号選択手段と、前記マイクロフォン信号選択手段で選択した信号を集音したマイクロフォンに対応する撮像条件に基づいて撮像手段の撮像条件を制御する撮像方向調整手段とを具備する通話装置が提供される。
好ましくは、前記撮像条件は前記撮像手段の撮像方向を示す情報を含み、前記撮像方向調整手段は、前記撮像方向を示す情報に基づいて前記撮像手段の撮像方向を制御する通話装置が提供される。
【手続補正３】
【補正対象書類名】明細書
【補正対象項目名】０００９
【補正方法】変更
【補正の内容】
【０００９】
好ましくは、前記撮像条件は前記撮像手段をズームさせる情報を含み、前記撮像方向調整手段は、前記ズームさせる情報に基づいて前記撮像手段の撮像方向を制御する通話装置が提供される。
また好ましくは、前記撮像条件は前記撮像手段で撮像される部分に位置する発言者を示す情報を含み、前記撮像方向調整手段は、前記発言者を示す情報を前記撮像手段で撮像した画像に付加する通話装置が提供される。
【手続補正４】
【補正対象書類名】明細書
【補正対象項目名】００１０
【補正方法】変更
【補正の内容】
【００１０】
好ましくは、前記選択されたマイクロフォン集音信号について、事前に登録された声紋と一致するか否かの声紋認証を行う声紋認証手段をさらに具備する通話装置が提供される。
また好ましくは、前記撮像方向調整手段は、前記マイクロフォン集音信号が前記声紋認証手段で声紋認証されたとき、前記マイクロフォン信号選択手段で選択したマイクロフォンに対応する撮像条件情報に基づき、前記撮像手段の撮像条件を制御する通話装置が提供される。
また好ましくは、前記撮像条件調整手段は、前記マイクロフォン集音信号が前記声紋認証手段で認証されないとき、前記撮像手段をデフォルト状態にする通話装置が提供される。
【手続補正５】
【補正対象書類名】明細書
【補正対象項目名】００１１
【補正方法】変更
【補正の内容】
【００１１】
好ましくは、前記撮像方向調整手段は、前記デフォルト状態として、前記撮像条件を変化させない、通話装置が提供される。
また好ましくは、前記撮像方向調整手段は、前記デフォルト状態として、前記撮像条件を初期状態にする通話装置が提供される。
また好ましくは、前記撮像方向調整手段は、前記撮像条件の初期撮像条件として、事前に登録された議長を撮像する撮像条件にする通話装置が提供される。
さらに好ましくは、前記マイクロフォン集音信号を増幅する利得調整可変型増幅手段と、前記利得可変型型増幅手段の利得を調整する増幅器利得調整手段とをさらに具備し、前記増幅器利得調整手段は、前記声紋認証手段が声紋認証したとき、前記マイクロフォン選択信号で示されるマイクロフォンに対応する前記利得可変型増幅手段の利得を大きな第１の利得に設定する通話装置が提供される。
【手続補正６】
【補正対象書類名】明細書
【補正対象項目名】００１２
【補正方法】変更
【補正の内容】
【００１２】
好ましくは、前記増幅器利得調整手段は、前記声紋認証手段が声紋認証しないとき、前記マイクロフォン選択信号で示されるマイクロフォンに対応する前記利得可変型増幅手段の利得を低い第２の利得に設定する通話装置が提供される。
また好ましくは、前記増幅器利得調整手段は、前記マイクロフォン信号選択手段で選択したマイクロフォンの選択の終了を検出したとき、前記選択されていたマイクロフォンに対応する前途利得可変型増幅手段の利得を他の利得可変型増幅手段の利得と同じ平均的な第３の利得に設定する通話装置が提供される。
また好ましくは、前記複数のマイクロフォンは等角度で放射状に配置されており、前記複数のマイクロフォンの近傍に、前記複数のマイクロフォンに対して等距離に配置された音声出力手段をさらに具備する通話装置が提供される。
さらに好ましくは、前記マイクロフォン信号選択手段は、前記マイクロフォンの検出信号から音源方向を検出する通話装置が提供される。
【手続補正７】
【補正対象書類名】明細書
【補正対象項目名】００１３
【補正方法】変更
【補正の内容】
【００１３】
本発明の第２の観点によれば、複数のマイクロフォンと、撮像条件が調整可能な撮像手段と、前記複数のマイクロフォンの集音信号のうち１つを選択するマイクロフォン信号選択手段と、前記マイクロフォン信号選択手段で選択された信号を集音したマイクロフォンに対応する撮像条件情報に基づいて前記撮像手段の撮像条件を制御する撮像方向調整手段とを具備する会議装置が提供される。
【手続補正８】
【補正対象書類名】明細書
【補正対象項目名】００１４
【補正方法】変更
【補正の内容】
【００１４】
本発明の第３の観点によれば、複数のマイクロフォンの集音信号のうち１つを選択するマイクロフォン信号選択工程と、前記選択されたマイクロフォンに対応する撮像条件情報に基づいて前記撮像手段の撮像条件を制御する撮像方向調整工程とを具備する撮像条件調整方法が提供される。
【手続補正９】
【補正対象書類名】明細書
【補正対象項目名】００１５
【補正方法】変更
【補正の内容】
【００１５】
好ましくは、前記選択されたマイクロフォン集音信号について事前に登録された声紋と一致するか否かの声紋認証を行う声紋認証工程をさらに具備し、前記撮像方向調整工程において、声紋認証工程で前記選択されたマイクロフォン集音信号が声紋認証されたとき、前記マイクロフォン信号選択工程で選択したマイクロフォンに対応する撮像条件情報に基づいて前記撮像手段の撮像条件を制御する撮像条件調整方法が提供される。